(57)【要約】【課題】  保持部に収容された果実（梨や林檎、桃等）の姿勢を確実に保持し得る果実用トレーの提供。【解決手段】  トレー本体の表面に果実の一部を収容保持するための半球面状にくぼんだ保持部が形成され、保持部の底面中心に凸部が形成され、凸部を中心としてその外周部から複数の放射状の凹条部が周方向に離間して形成されるとともに凹条部間に凸条部が形成され、凹条部および凸条部の裏面は、凹条部および凸条部の表面に対応する凹凸形状に形成され、凸部に連続する部分における凹条部および凸条部の断面において、凹条部の底部の肉厚に比べて凸条部の周方向の肉厚が厚く形成されている構成の果実用トレー。【選択図】  図２
2011073730.tif 000002
【特許請求の範囲】
【請求項１】
果実を収容可能な果実用トレーであって、トレー本体の表面に果実の一部を収容保持するための半球面状にくぼんだ保持部が形成され、該保持部の底面中心に凸部が形成され、該凸部を中心としてその外周部から複数の放射状の凹条部が周方向に離間して形成されるとともに凹条部間に凸条部が形成され、
凹条部および凸条部の裏面は、凹条部および凸条部の表面に対応する凹凸形状に形成され、
前記凸部に連続する部分における凹条部および凸条部の断面において、凹条部の底部の肉厚に比べて前記凸条部の周方向の肉厚が厚く形成されていることを特徴とする果実用トレー。
【請求項２】
凸部の表面は、凸条部と段差なく且つ平坦面に形成されていることを特徴とする請求項１記載の果実用トレー。
【請求項３】
トレー本体に、複数列上に複数の保持部が配置され、所定の列上に配置された保持部は該列上に隣合う列上に配置された保持部に亘るよう、且つ横壁を介して連続して設けられ、所定の列上に配置された二つの保持部と隣合う列上に配置された一つの保持部とを連続する横壁に、凹部が形成されていることを特徴とする請求項１または請求項２記載の果実用トレー。
【発明の詳細な説明】
【技術分野】
【０００１】
本発明は、果実（梨や林檎、桃等）を収容した状態で運搬可能な果実用トレーに関する。
【背景技術】
【０００２】
この種の果実用トレーとして、例えば下記特許文献１に示す技術が提案されている。
これは、トレー本体の表面に果実の一部を収容保持するための半球面状にくぼんだ保持部を形成し、保持部の底面中心に凸部を形成し、凸部を中心としてその外周部から複数の放射状の凹条部を周方向に離間して形成するとともに凹条部間に凸条部を形成している。また、凹条部および凸条部の裏面を、凹条部および凸条部の表面に対応する凹凸形状に形成している。
【先行技術文献】
【特許文献】
【０００３】
【特許文献１】特開２００５−９６８２７号公報
【発明の概要】
【発明が解決しようとする課題】
【０００４】
上記従来の果実用トレーでは、凸部に連続する部分における凹条部および凸条部の断面において、凹条部の底部の肉厚と凸条部の周方向の肉厚とは等しく形成している。
このため、保持部に果実を収容するとその重みによって凸条部がひしゃげ易くなる。このため特に運搬時における果実の姿勢保持がしにくく、果実が保持部内で回ってしまうといった課題があった。
【０００５】
そこで本発明は、保持部に収容された果実の姿勢を確実に保持し得る果実用トレーの提供を目的とする。
【課題を解決するための手段】
【０００６】
本発明は、果実を収容可能な果実用トレーであって、トレー本体の表面に果実の一部を収容保持するための半球面状にくぼんだ保持部が形成され、該保持部の底面中心に凸部が形成され、該凸部を中心としてその外周部から複数の放射状の凹条部が周方向に離間して形成されるとともに凹条部間に凸条部が形成され、凹条部および凸条部の裏面は、凹条部および凸条部の表面に対応する凹凸形状に形成され、前記凸部に連続する部分における凹条部および凸条部の断面において、凹条部の底部の肉厚に比べて前記凸条部の周方向の肉厚が厚く形成されていることを特徴としている。
ことを特徴としている。
上記構成において、果実を保持部に収容してその重みが凸条部で支持されると、凸部に連続する部分における凸条部の周方向の肉厚が厚く形成されているから、その分だけ果実の保持性が向上して、運搬時における果実の姿勢を保持し易くなる。
【０００７】
本発明の果実用トレーでは、凸部の表面は、凸条部と段差なく且つ平坦面に形成されていることを特徴としている。
上記構成によれば、果実に当る面が平坦面であって凸条部と段差がないから、保持部に収容された果実の姿勢が保持され易い。
【０００８】
本発明の果実用トレーでは、トレー本体に、複数列上に複数の保持部が配置され、所定の列上に配置された保持部は該列上に隣合う列上に配置された保持部に亘るよう、且つ横壁を介して連続して設けられ、所定の列上に配置された二つの保持部と隣合う列上に配置された一つの保持部とを連続する横壁に、凹部が形成されていることを特徴としている。
上記構成によれば、横壁に凹部を形成している分だけトレー本体の剛性が向上する。
【発明の効果】
【０００９】
本発明によれば、凸部に連続する部分における凹条部および凸条部の断面において、凹条部の底部の肉厚に比べて凸条部の周方向の肉厚が厚く形成されているから、果実を保持部に収容してその重みが凸条部で支持されると、凸部に連続する部分における凸条部の周方向の肉厚が厚く形成されている分だけ果実の保持性が向上して、運搬時における果実の姿勢を確実に保持することができる。
【図面の簡単な説明】
【００１０】
【図１】本発明の実施形態を示す果実用トレーの全体平面図
【図２】同じく図１におけるＡ−Ａ線断面であって凹条部と凸条部の肉厚を示す断面図
【図３】同じく図１におけるＢ−Ｂ線断面であって一個の保持部の断面図
【発明を実施するための形態】
【００１１】
以下、本発明の実施形態に係る果実用トレーを、図面に基づいて説明する。図１は果実用トレーの全体平面図、図２は図１におけるＡ−Ａ線断面であって凹条部と凸条部の肉厚を示す断面図、図３は図１におけるＢ−Ｂ線断面であり、一個の保持部の断面図を示す。
【００１２】
果実用トレー１は合成樹脂発泡シートから形成されている。図１に示すように、果実用トレー１は、平面視して矩形のトレー本体２を有し、トレー本体２の外周縁は立ち上げられてフレーム状のリブ３が一体的に形成されている。
【００１３】
トレー本体２の表面に、果実４の一部（下側）を収容保持するための半球面状にくぼんだ表面５ａを有する保持部５が複数形成されている。これら保持部５はトレー本体２に複数列上に配置されている。
保持部５どうしの位置関係について説明すると、所定の列上に配置された保持部５は該列上に隣合う列上に配置された保持部５に亘るよう、且つ横壁６および連続壁７を介して連続して設けられている。
【００１４】
横壁６どうしは連続壁７によって連続され、連続壁７は全体が下方に向けて湾曲する湾曲壁として形成され、果実４を収納し取出し易くしている。このように、保持部５どうしは、いわゆる千鳥状に配置されている。
所定の列上に配置された二つの保持部５と隣合う列上に配置された一つの保持部５とは、表面が平坦な横壁６によって連続して形成されている。
横壁６の表面は平坦であるが、その表面の中心部には、横壁６の平面視形状（略三角形）に対応した平面視形状の凹部６ａが形成されている。
【００１５】
各保持部５の底面中心に平面視して略円形の凸部１０が形成され、凸部１０を中心としてその外周部から複数の放射状の凹条部１１が周方向に離間して複数形成されるとともに凹条部１１間に凸条部１２が形成されている。凹条部１１および凸条部１２の裏面は、それぞれ凹条部１１および凸条部１２の表面に対応する凹凸形状に形成されている。凸部１０の表面は、凸条部１２と段差なく且つ平坦面に形成されている。
【００１６】
凸部１０に連続する部分における凹条部１１および凸条部１２の断面において、凹条部１１の底部１３の肉厚ｔ１に比べて凸条部１２の周方向の肉厚ｔ２が厚く形成されている。
【００１７】
上記構成の果実用トレー１では、各保持部５に果実４を収容して運搬することができる。トレー本体２の外周縁は立ち上げられてフレーム状のリブ３が一体的に形成され、しかも横壁６には凹部６ａが形成されていることで、トレー本体２が補強されているから、トレー本体２が塑性変形することなく（損傷することなく）、果実４を運搬することができる。
【００１８】
各保持部５に果実４を収容すると、保持部５はその表面のうち特に底部で支持することになる。
そして保持部５の底部には、略円形の凸部１０が形成され、凸部１０の表面は、凸条部１２と段差なく且つ平坦面に形成されているから、果実４が保持部５内で傾くような回転がしにくい。
【００１９】
さらに、凸部１０を中心としてその外周部から複数の放射状の凹条部１１が周方向に離間して複数形成されるとともに凹条部１１間に凸条部１２が形成されており、凸部１０に連続する部分における凹条部１１および凸条部１２の断面において、凹条部１１の底部１３の肉厚ｔ１に比べて凸条部１２の周方向に沿う肉厚ｔ２が厚く形成されている。
したがって、肉厚ｔ２を厚くした分だけ底部の剛性が向上して変形しにくくなるとともに、果実４の保持性が安定する。よって、果実用トレー１の運搬時であっても、果実４が傾くような回転を抑制して、運搬時における果実４の姿勢を保持することができる。
【００２０】
このような断面構成の果実用トレー１を形成するには、図２に示すように、双方の成形型１５，１６のうち、例えば凸条部１２を形成する一方の成形型１５の凸起１７の周方向両面１７ａを、凸条部１２を形成する他方の成形型１６の凹溝１８の周方向両面１８ａの傾斜に比べて急峻にすることによって実施することができる。
あるいは、凸条部１２を形成する一方の成形型１５の凸起１７の周方向両面１７ａの傾斜に比べて、凸条部１２を形成する他方の成形型１６の凹溝１８の周方向両面１８ａの傾斜を緩やかにすることによって実施することができる。
要するに、凸条部１２を形成する一方の成形型１５の凸起１７の周方向両面１７ａのうち少なくとも一方の周方向面の傾斜と、凸条部１２を形成する他方の成形型１６の凹溝１８の周方向両面１８ａのうちの少なくとも一方の周方向面の傾斜とを異ならせることで可能になる。
【符号の説明】
【００２１】
１…果実用トレー、２…トレー本体、４…果実、５…保持部、５ａ…表面、６…横壁、６ａ…凹部、７…連続壁、１０…凸部、１１…凹条部、１２…凸条部、１３…底部、１５，１６…成形型、１７…凸起、１７ａ…周方向両面、１８…凹溝、１８ａ…周方向両面、ｔ１，ｔ２…肉厚
【図１】
2011073730.tif 000003
【図２】
2011073730.tif 000004
【図３】
2011073730.tif 000005